(57)【要約】【課題】マルチビュア表示された画面上で、制御対象カメラの撮影映像表示領域を分かりやすく区別して表示する。【解決手段】動作を制御可能な撮像装置から出力される映像信号又は、動作を制御できない装置から出力される映像信号が入力される複数の入力部１０を備える。また、複数の映像信号の中から、主出力又は準備出力する映像信号や、制御可能な撮像装置から入力される映像信号を選択する入力選択部２０を備えた。そして、入力選択部２０で選択された各映像信号を、複数の領域のうちの対象領域に割り振る。このとき、主出力映像を表示する領域用の枠を第１の色で生成し、準備出力映像を表示する領域用の枠を第２の色で生成する。制御可能な撮像装置からの入力映像を示す識別子は、第３の色で生成する。そして、処理が施された各映像信号及び枠又は識別子を、画面上の各領域に出力するようにした。【選択図】図３
2010114520.tif 000002
【特許請求の範囲】
【請求項１】
動作を制御可能な撮像装置から出力される映像信号又は、動作を制御できない装置から出力される映像信号が入力される複数の入力部と、
前記複数の入力部を介して入力される複数の映像信号の中から、主出力又は準備出力する映像信号、及び／又は前記制御可能な撮像装置から入力される映像信号を選択する入力選択部と、
前記入力選択部で選択された各映像信号を、１つの画面を複数に分割した場合の各領域を生成する処理を行うとともに、前記各領域のうち、前記入力選択部によって前記主出力する映像信号として選択された映像信号を表示する領域用の枠を、第１の色で生成し、前記入力選択部によって前記準備出力する映像信号として選択された映像信号を表示する領域用の枠を、第２の色で生成し、前記制御可能な撮像装置から入力される映像信号を表示する領域用の識別子を、前記第１の色又は前記第２の色とは異なる第３の色で生成する画面生成処理部と、
前記画面生成処理部で処理が施された各映像信号及び前記枠又は前記識別子を、前記複数の領域に分割された画面を表示する表示装置に出力する出力部とを備えた
映像信号処理装置。
【請求項２】
前記入力選択部で選択する映像信号を指示する操作入力部と、
前記操作入力部における選択操作に基づいて制御信号を生成する制御部とを備え、
前記入力選択部と前記画像生成処理部における処理は、前記制御部で生成された制御信号に基づいて行われる
請求項１記載の映像信号処理装置。
【請求項３】
前記操作入力部は、前記主出力する映像信号を選択するための主出力選択ボタンと、前記準備出力する映像信号を選択するための準備出力選択ボタンと、前記制御可能な撮像装置から入力される映像信号を選択するカメラ選択ボタンを備え、
前記制御部は、前記各ボタンに共通に割り当てられた論理番号と、前記複数の入力部に割り当てられた入力ポート番号と、前記制御可能な撮像装置に割り当てられたカメラ番号と、前記複数の領域のそれぞれに割り振られた表示位置番号とを１対１で対応付けたテーブルの情報に基づいて、前記入力選択部と前記画面生成処理部とを制御するための制御信号を生成する
請求項２記載の映像信号処理装置。
【請求項４】
前記画像生成処理部により生成される第３の色による識別子は、枠で示される
請求項３記載の映像信号処理装置。
【請求項５】
前記入力選択部によって選択された、前記制御可能な撮像装置から入力される映像信号が、前記主出力又は前記準備出力としても選択された映像信号であった場合には、前記画面生成処理部によって、前記第３の色による枠が、前記第１の色による枠又は前記第２の色による枠の内側に配置される
請求項４記載の映像信号処理装置。
【請求項６】
前記画像生成処理部により生成される第３の色による識別子は、マーカで示される
請求項３記載の映像信号処理装置。
【請求項７】
前記画像生成処理部により生成される第３の色による識別子は、バーで示される
請求項３記載の映像信号処理装置。
【請求項８】
動作を制御可能な撮像装置から出力される映像信号又は、動作を制御できない装置から出力される映像信号が入力されるステップと、
前記複数の入力部を介して入力される複数の映像信号の中から、主出力又は準備出力する映像信号、及び／又は前記制御可能な撮像装置から入力される映像信号を選択するステップと、
前記入力選択部で選択された各映像信号を、１つの画面を複数に分割した場合の各領域を生成する処理を行うとともに、前記各領域のうち、前記入力選択部によって前記主出力する映像信号として選択された映像信号を表示する領域用の枠を、第１の色で生成し、前記入力選択部によって前記準備出力する映像信号として選択された映像信号を表示する領域用の枠を、第２の色で生成し、前記制御可能な撮像装置から入力される映像信号を表示する領域用の識別子を、前記第１の色又は前記第２の色とは異なる第３の色で生成するステップと、
前記処理が施された各映像信号及び前記枠又は前記識別子を、前記複数の領域に分割された画面を表示する表示装置に出力するステップとを含む
映像信号処理方法。
【発明の詳細な説明】
【技術分野】
【０００１】
本発明は、映像信号処理装置及び映像信号処理方法に関し、特にビデオスイッチャとしてもカメラコントローラとしても機能するに映像信号処理装置及びその装置で使用される映像信号処理方法に関する。
【背景技術】
【０００２】
従来、カメラによって撮影中のライブ映像を中継したり、カメラで撮影された映像を用いてコンテンツの制作を行うための機器として、ビデオスイッチャが知られている。ビデオスイッチャは、複数のチャンネルの映像信号を入力し、それらの映像信号を切り換えて映像出力先のプロジェクタ等に出力したり、映像切り換え時に映像にワイプ等のエフェクトを付加する装置である。
【０００３】
ビデオスイッチャを使用することにより、現在オンエア映像として出力されている主出力映像（ＰＧＭ出力映像）を、その次にプログラム出力される予定の準備映像（ＮＥＸＴ出力映像；プレビュー出力映像とも称される）に切り換えることも容易に行える。
【０００４】
この場合、ＰＧＭ出力映像を確認しながら、ＮＥＸＴ出力映像の位置合わせなどを行えるように、ビデオスイッチャでは、両方の映像を１つの画面上に同時に表示することも行われる。具体的には、１つの画面を複数の領域に分割し、ＰＧＭ出力映像とＮＥＸＴ出力映像をそれぞれ異なる領域に表示させる処理が行われる。このような表示形態は、マルチビュワ表示等と称されている。
【０００５】
ところが、このようにマルチビュア表示された画面においては、画面上のどの位置にＰＧＭ出力映像又はＮＥＸＴ出力映像が表示されているかが分かりにくくなってしまう。このため、ＰＧＭ出力映像の表示枠とＮＥＸＴ出力映像の表示枠とを互いに異なる色で表示するようなことも行われている。例えば特許文献１には、ＰＧＭ出力映像が表示されている領域は赤枠で表示し、ＮＥＸＴ出力映像が表示されている領域は青枠で示すことにより、両映像信号による映像を視覚的に区別し易くする技術が開示されている。
【特許文献１】特開平０９−１５４０４７号公報
【発明の開示】
【発明が解決しようとする課題】
【０００６】
ところで、上述したようなライブ映像の撮影にカメラを複数台用いる場合には、ビデオスイッチャに加えて、複数のカメラの動作を制御するカメラコントローラが使用される場合が多い。カメラコントローラとは、装置に接続されたカメラのアイリスやフォーカス、ズーム等のコントロールを、遠隔操作により行える装置である。
【０００７】
カメラコントローラを用いての各カメラのコントロールは、制御対象のカメラによる撮影映像を見ながら行う必要があり、また、制御対象とするカメラの切り替えも、必要なタイミングですぐに行えるようにする必要がある。従って、各カメラによる撮影映像の表示も、ビデオスイッチャにおける場合と同様に、マルチビュア表示形式で行われるのが通常である。このようなマルチビュア表示画面においては、制御対象のカメラによる撮影映像がどの位置に表示されているかを、ユーザに分かりやすく示す必要がある。
【０００８】
ところが、ビデオスイッチャの制御によって画面上にＰＧＭ出力映像やＮＥＸＴ出力映像が表示されている場合には、その画面中にカメラコントローラの制御対象カメラによる撮影映像が表示されていても、その表示領域を他と区別して表示することができない。このため、制御対象カメラによる撮影映像が画面上のどの位置に表示されているかは、操作を通じてユーザ自身が把握しておくほかないという問題があった。
【０００９】
本発明はかかる点に鑑みてなされたものであり、マルチビュア表示された画面上で、カメラコントローラによる制御対象カメラの撮影映像表示領域を、分かりやすく区別して表示することを目的とする。
【課題を解決するための手段】
【００１０】
本発明に係る映像信号処理装置は、動作を制御可能な撮像装置から出力される映像信号又は、動作を制御できない装置から出力される映像信号が入力される複数の入力部を備える。また、複数の映像信号の中から、主出力又は準備出力する映像信号、及び／又は制御可能な撮像装置から入力される映像信号を選択する入力選択部を備えた。そして、画面生成処理部が、入力選択部で選択された各映像信号を、１つの画面を複数に分割した場合の各領域を生成する処理を行うようにした。また画面生成処理部は、各領域のうち、入力選択部によって主出力する映像信号として選択された映像信号を表示する領域用の枠を第１の色で生成し、入力選択部によって準備出力する映像信号として選択された映像信号を表示する領域用の枠を第２の色で生成する。これに対して、制御可能な撮像装置から入力される映像信号を表示する領域用の識別子は、第１の色又は第２の色とは異なる第３の色で生成するようにした。そして、画面生成処理部で処理が施された各映像信号及び枠又は識別子を、複数の領域に分割された画面を表示する表示装置に出力する出力部を備えたものである。
【００１１】
このようにしたことで、制御可能な撮像装置から入力される映像信号を表示する枠が、主出力用映像表示用の枠や、準備映像表示用の枠とは異なる第３の色で、複数の領域を有する画面上の対象領域に表示されるようになる。
【発明の効果】
【００１２】
本発明によると、制御可能な撮像装置から入力される映像信号を表示する枠が、主出力用映像表示用の枠や、準備映像表示用の枠とは異なる第３の色で表示されるため、ユーザが各映像を画面上で容易に区別することができるようになる。すなわち、ユーザの操作性が向上する。
【発明を実施するための最良の形態】
【００１３】
以下、本発明の一実施の形態を、添付図面を参照して説明する。なお、本実施の形態は、以下の順序で説明する。
１．第１の実施の形態
２．変形例
【００１４】
１．第１の実施の形態
［システムの構成例］
図１は、本実施の形態によるシステムの構成例を示した図である。図１に示したシステムは、ビデオスイッチャの機能とカメラコントロールの両方の機能とを備えた映像信号処理装置１００を備える。映像信号処理装置１００は、メインユニット１１０と操作入力部１２０とで構成される。なお、本実施の形態ではメインユニット１１０と操作入力部１２０とを別々に構成した場合を例に挙げたが、これらを一体化した構成に適用してもよい。
【００１５】
映像信号処理装置１００は持ち運び可能な形態としてあり、例えば大講堂や大会議室、ライブ会場などで開催されるイベントの中継や、イベントの様子を紹介する映像コンテンツの制作に使用される。
【００１６】
図１に示すメインユニット１１０には、映像入力元として、カメラＣ１〜カメラＣ４の４台のカメラと、パーソナルコンピュータ（以下ＰＣと称する）Ｐ１が接続されている。
【００１７】
カメラＣ１〜カメラＣ４は、メインユニット１１０のＳＤＩ（Serial Digital Interface）入力端子（図示略）等に接続してあり、カメラＣ１〜カメラＣ４で撮影された各映像は、各入力端子を通してメインユニット１１０に入力される。カメラＣ１〜カメラＣ４における撮像動作は、メインユニット１１０から供給される同期信号に同期して行われる。
【００１８】
カメラＣ１〜カメラＣ３は、例えばＶＩＳＣＡ（登録商標）プロトコルのシリアルインタフェースを備えており、メインユニット１１０とは、制御信号伝送用のシリアルケーブル（図示略）によっても接続されている。つまりメインユニット１１０は、カメラＣ１〜カメラＣ３に制御信号（カメラ制御コマンド）を供給することによって、カメラＣ１〜カメラＣ３を制御することができる。また、ＡＣＫメッセージ等のカメラＣ１〜カメラＣ３からの応答も、シリアルケーブルを通してメインユニット１１０に送信される。
【００１９】
カメラＣ４は、例えばＤＶＩ（Digital Visual Interface）ケーブル等によってメインユニット１１０に接続されており、カメラＣ４によって撮影された映像は、ＤＶＩ入力端子（図示略）を通してメインユニット１１０に伝送される。カメラＣ４には、メインユニット１１０からの制御信号が入力される端子が存在しないため、メインユニット１１０による制御ができないカメラとなる。
【００２０】
ＰＣＰ１は、メインユニット１１０のＤＶＩ入力端子又はＲＧＢ入力端子（図示略）等に接続されており、図示せぬＨＤＤ（Hard Disk Drive）等に記憶された静止画像や動画像などを、メインユニット１１０に入力する。
【００２１】
メインユニット１１０は、前述したようにビデオスイッチャの機能とカメラコントロールの両方の機能を備えたものであり、ビデオスイッチャとして機能するビデオスイッチャ機能モードのときには、ＰＧＭ出力映像とＮＥＸＴ出力映像の切り替え等を行う。カメラコントローラとして機能するカメラコントロールモードのときには、制御対象カメラに対する制御を行う。メインユニット１１０の構成の詳細については、後述する。
【００２２】
メインユニット１１０の映像出力先としては、例えばＦＰＤ（Flat Panel Display）等よりなる表示装置３００と、プロジェクタ４００と、ＨＤＤ等よりなる記録装置５００が接続されている。図１に示した例では、プロジェクタ４００は、メインユニット１１０のＰＧＭ出力端子２ｐ−１に接続してあり、プロジェクタ４００にはＰＧＭ出力映像が出力される。表示装置３００は、メインユニット１１０のＡＵＸ出力端子２ａに接続してあり、表示装置３００には、マルチビュワ表示させる映像等が出力される。記録装置５００は、メインユニット１１０のＰＧＭ出力端子２ｐ−２に接続してあり、メインユニット１１０から出力される映像信号を記録映像として記憶する。
【００２３】
メインユニット１１０に接続された操作入力部１２０は、ユーザによる操作内容に応じた操作信号を、メインユニット１１０内の後述する制御部に送信する。メインユニット１１０から出力する映像の切り替え指示等は、操作入力部１２０を介して行えるようにしてある。
【００２４】
次に、図２を参照して、操作入力部１２０の構成例について説明する。図２に示す操作入力部１２０には、様々なボタンより構成される操作ボタン部２１０と、４つのツマミよりなるツマミ部２２０と、表示部２３０が配置されている。また、操作入力部１２０には、ジョイスティック２４０とトランジションレバー２５０も配置されている。
【００２５】
操作ボタン部２１０には、機能選択部としてのカメラモード切り替えボタン２１１ｃ及びスイッチャモード切り替えボタン２１１ｓと、ＡＵＸ出力選択／カメラ選択ボタン２１２と、ＰＧＭ選択ボタン２１３ｐと、ＮＥＸＴ選択ボタン２１３ｎとが含まれる。
【００２６】
カメラモード切り替えボタン２１１ｃは、メインユニット１１０内のモード設定を、ビデオスイッチャ機能モードからカメラコントロールモードに切り換えるためのボタンである。スイッチャモード切り替えボタン２１１ｓは、カメラコントロールモードからビデオスイッチャ機能モードに切り換えるためのボタンである。なお、実際のモードの切り替えは、これらのボタンの押下操作に基づく、後述する制御部での制御によって行われる。また本実施の形態では、カメラモード切り替えボタン２１１ｃを、ジョイスティック２４０の左下方にも配置してある。
【００２７】
ＡＵＸ出力選択／カメラ選択ボタン２１２は、ビデオスイッチャ機能モードのときにはＡＵＸ出力選択ボタンとして機能し、カメラコントロールモードのときにはカメラ選択ボタンとして機能するボタンである。ＡＵＸ出力選択／カメラ選択ボタン２１２には１〜１２までの論理番号が割り振ってあり、ビデオスイッチャ機能モード選択時には１〜１２までのボタンが有効になり、カメラコントロールモードの選択時には、１〜７のみが有効となる。
【００２８】
ＡＵＸ出力選択ボタンとしての機能時には、いずれかのボタンが押下されることにより、ボタンに割り振られた論理番号と予め対応付けられた入力ポートから入力される映像信号が、ＡＵＸ出力端子２ａに出力される。図１に示した例ではＡＵＸ出力端子２ａには表示装置３００が接続されているため、論理番号と対応付けられた入力ポートから入力された映像は、表示装置３００の画面上に映像として表示される。
【００２９】
カメラ選択ボタンとしての機能時には、ボタンの押下により選択された論理番号と予め対応付けられた制御対象カメラからの入力映像が、ＡＵＸ出力端子２ａより出力される。そして、ＡＵＸ出力端子２ａを通して出力された制御対象カメラによる撮影映像が、表示装置３００の画面上に表示される。
【００３０】
ＰＧＭ選択ボタン２１３ｐは、メインユニット１１０に接続されているカメラＣ１〜カメラＣ４やＰＣＰ１等の機器から入力される映像信号のうち、どの入力映像信号をＰＧＭ出力として選択するかを決定するためのボタンである。ＮＥＸＴ選択ボタン２１３ｎは、メインユニット１１０に入力される映像信号のうち、どの映像信号をＮＥＸＴ出力として選択するかを決定するためのボタンである。
【００３１】
ＰＧＭ選択ボタン２１３ｐと、ＮＥＸＴ選択ボタン２１３ｎにも、ＡＵＸ出力選択／カメラ選択ボタン２１２と共通する１〜１２の論理番号を割り振ってある。例えばＰＧＭ選択ボタン２１３ｐのうちいずれかのボタンが押下された場合には、ボタンの押下により選択された論理番号と予め対応付けられた入力ポートから入力される映像信号が、ＰＧＭ出力として選択されるようになる。なお、ＰＧＭ選択ボタン２１３ｐと、ＮＥＸＴ選択ボタン２１３ｎは、ビデオスイッチャ機能モードとカメラコントロールモードのいずれが選択されている場合にも、ビデオスイッチャとして機能するようにしてある。
【００３２】
ツマミ部２２０は、ツマミ部２２０−１〜ツマミ部２２０−４の４つのツマミで構成される。カメラコントロールモードが選択されている場合には、ツマミ部２２０−１は、制御対象カメラのフォーカスを調整するツマミとして機能する。ツマミ部２２０−２はブライトネスを調整するツマミとして機能し、ツマミ部２２０−３はズームを調整するツマミとして機能し、ツマミ部２２０−４はパン及びチルトを調整するツマミ部２２０として機能する。
【００３３】
ビデオスイッチャ機能モードが選択されている場合には、ツマミ部２２０−１〜ツマミ部２２０−４は、ファンクションＦ１〜ファンクションＦ４に割り当てられた各機能を調整するためのツマミとして機能する。
【００３４】
表示部２３０は、ＶＦＤ（蛍光表示管）等よりなり、映像切り換え時に加えるエフェクトの設定内容や、制御対象カメラの設定メニュー等の項目を表示する。
【００３５】
ジョイスティック２４０は、Ｘ軸方向とＹ軸方向とＺ軸方向に回動自在に支持されたレバーと、レバーの下部に設けられたツマミとで構成される。カメラコントロールモードが選択されている場合には、ジョイスティック２４０のレバーの傾斜角度又はツマミの回転角度を操作することによって、接続先のカメラのパン／チルト／ズームの制御量を指定することができる。ビデオスイッチャ機能モードが選択されている場合には、ジョイスティック２４０のレバーの傾斜操作によって、ＰＧＭ出力映像中にＰｉｎＰ（Picture in Picture）として挿入する画面の位置を決定することができる。
【００３６】
トランジションレバー２５０は、上下方向に可動する操作子であり、上下方向の移動量に応じた量で、１つの映像から別の映像への切り替えを連続的に変化させる。トランジションレバー２５０も、ビデオスイッチャ機能モードとカメラコントロールモードのいずれが選択されている場合にも、同様の動作（ビデオスイッチャとしての動作）をするようにしてある。
【００３７】
次に、図３を参照して、メインユニット１１０の内部構成例について説明する。図３において、図１や図２と対応する箇所には同一の符号を付してある。メインユニット１１０は、入力部として、ＳＤＩインタフェース（以下Ｉ／Ｆと称する）部１０−１〜ＳＤＩ Ｉ／Ｆ部１０−４と、オプションカードＩ／Ｆ部１５とを備える。ＳＤＩ Ｉ／Ｆ部１０−１〜ＳＤＩ Ｉ／Ｆ部１０−４は、ＨＤ−ＳＤＩ又はＳＤ−ＳＤＩ信号が入力される４つのＳＤＩ入力端子１ｓ−１〜ＳＤＩ入力端子１ｓ−４を備えたインタフェースである。図１に示した構成によれば、ＳＤＩ Ｉ／Ｆ部１０−１〜ＳＤＩ Ｉ／Ｆ部１０−４には、カメラＣ１〜カメラＣ４から出力される映像信号が入力される。
【００３８】
ＳＤＩ Ｉ／Ｆ部１０−１〜ＳＤＩ Ｉ／Ｆ部１０−４は、それぞれイコライザ（ＥＱ）１１と、シリアル・パラレル変換器（Ｓ／Ｐ）１２と、フレームシンクロナイザ（ＦＳ）１３と、アンプ（ＡＭＰ）１４とを備える。
【００３９】
イコライザ１１は、入力されたＨＤ／ＳＤ−ＳＤＩ信号の波形整形を行い、波形整形後の信号をシリアル・パラレル変換器１２に供給する。シリアル・パラレル変換器１２は、イコライザ１１から供給されたＨＤ／ＳＤ−ＳＤＩのシリアル信号を、パラレル信号に変換してフレームシンクロナイザ１３に出力する。フレームシンクロナイザ１３は、入力されたパラレルの映像信号を、メインユニット１１０内の基準同期信号に同期させてアンプ１４に供給する。アンプ１４は、入力された映像信号を適切な大きさに増幅して、入力選択部としての入力クロスポイント部２０に供給する。
【００４０】
オプションカードＩ／Ｆ部１５は、オプションカードが挿入されるＩ／Ｆである。オプションカードとは、工場出荷時には装着されていないカードであり、標準装備されていない機能を追加装備するためのカードである。オプションカードとしては、アナログ映像信号入力端子を備えたカードや、ＤＶＩ入力端子を備えたカード、ＨＤ／ＳＤ−ＳＤＩ入力端子を備えたカード等の様々なカードが用意されている。本実施の形態によるメインユニット１１０では、オプションカードＩ／Ｆ部１５に、これらのカードのうち任意の２枚までのカードを接続することができるようにしてある。このため、オプションカード上には複数の映像信号端子が複数存在することになるが、図１においては、説明を簡単にするため、これらの端子を入力映像端子１ｏとして示している。
【００４１】
図１に示した構成によれば、オプションカードＩ／Ｆ部１５には、オプションカードＩ／Ｆ部１５に挿入されたオプションカードの端子に接続された、ＰＣＰ１からの映像信号が入力される。オプションカードＩ／Ｆ部１５では、装着されたカードの種類に応じた処理を行って、処理後の映像信号を入力クロスポイント部２０に出力する。なお、入力される映像信号の種類は上述したものに限定されるものではなく、他の種類の入力端子を備えたカードが装着される構成としてもよい。
【００４２】
入力クロスポイント部２０は、ＳＤＩ Ｉ／Ｆ部１０−１〜ＳＤＩ Ｉ／Ｆ部１０−４やオプションカードＩ／Ｆ部１５から供給される複数の映像信号の中から、操作入力部１２０での入力映像選択操作によって選択された映像信号のみを選択して出力する。例えば、図２に示す操作入力部１２０のＰＧＭ選択ボタン２１３ｐの中から１番のボタンが押下された場合には、入力クロスポイント部２０によって、論理番号１番に対応付けられた入力ポートから入力される映像信号がＰＧＭ出力として選択される。つまり入力クロスポイント部２０は、入力映像を、ＮＥＸＴ出力やＡＵＸ出力、ＰｉｎＰ出力、マルチビュワ出力等に対応付けて出力する。
【００４３】
入力クロスポイント部２０で選択された映像信号のうち、エフェクトの追加等の映像への加工が必要とされる映像信号は、画面生成処理部としてのスイッチャ・エフェクト部３０に供給される。スイッチャ・エフェクト部３０は、入力映像の切り替えや映像信号へのエフェクト等の追加を行う。
【００４４】
またスイッチャ・エフェクト部３０は、ＰｉｎＰ画像表示用の枠やマルチビュワ表示用の枠を生成する処理も行う。マルチビュワ表示用の枠を作成する場合は、ＰＧＭ出力映像表示用の枠と、ＮＥＸＴ出力映像用の枠と、制御対象カメラによる撮影映像表示用の枠は、それぞれ異なる色で生成するようにしてある。マルチビュワ表示における枠生成処理の詳細については、後述する。スイッチャ・エフェクト部３０での処理は、操作入力部１２０での入力映像選択操作に基づき後述する制御部６０で生成される制御信号に基づいて制御される。
【００４５】
スイッチャ・エフェクト部３０でエフェクト等の処理が施された、ＰＧＭ出力として選択された映像信号は、後段のパラレル・シリアル変換器５１ｐに供給される。パラレル・シリアル変換器５１ｐでは、映像信号がシリアルの映像信号に変換されてバッファ５２ｐに出力される。バッファ５２ｐに入力された映像信号は、出力に適した信号に変換された後にＰＧＭ出力として出力される。
【００４６】
また、スイッチャ・エフェクト部３０でエフェクト等の処理が施された映像信号は、スイッチャ・エフェクト部３０で生成された枠情報等とともに、出力クロスポイント部４０に供給される。出力クロスポイント部４０には、入力クロスポイント部２０で、エフェクト等の効果の付加が不要な映像信号として選択された映像信号も供給される。
【００４７】
出力クロスポイント部４０は、入力クロスポイント部２０から供給される映像信号やスイッチャ・エフェクト部３０から供給される映像信号を、出力部としてのＡＵＸ出力端子２ａとＤＶＩ出力端子２ｄのどちらに出力するかを選択する。ＡＵＸ出力端子２ａに出力するかＤＶＩ出力端子２ｄに出力するかは、操作入力部１２０での入力映像選択操作に基づき制御部６０で生成される制御信号に基づいて決定される。
【００４８】
出力クロスポイント部４０で、ＡＵＸ出力端子２ａに出力する映像信号として選択された映像信号は、後段のパラレル・シリアル変換器５１ａに供給されて、シリアルの映像信号に変換される。そして、シリアルに変換された映像信号はバッファ５２ａに供給されて、出力に適した信号に変換された後に、ＡＵＸ出力としてＡＵＸ出力端子２ａに出力される。なお、本実施の形態ではＡＵＸ出力端子を１個のみ設けた構成としてあるが、複数個設けるように構成してもよい。
【００４９】
ＤＶＩ出力端子２ｄに出力する映像信号として選択された映像信号は、Ｉ／Ｐ（インターレース／プログレッシブ）変換・リサイズ処理部５１ｄに供給され、必要に応じて、インターレース又はプログレッシブの映像信号への変換と、画面サイズの変更が行われる。これらの調整が行われた映像信号は、バッファ５２ｄに出力され、出力に適した信号に変換された後に、ＤＶＩ出力としてＤＶＩ出力端子２ｄに出力される。
【００５０】
制御部６０は、ＣＰＵ（Central Processing Unit）等よりなり、操作入力部１２０から入力される各種情報に基づいて、装置内の各部を制御するための制御信号や、制御対象カメラを制御するためのカメラ制御コマンドを生成する。
【００５１】
制御部６０には、位置情報生成部６１と、制御信号生成部６２と、シリアルＩ／Ｆ部６３とが含まれる。また、制御部６０には、ＥＥＰＲＯＭ（Electrically Erasable Programmable Read Only Memory）等で構成されるメモリ７０が接続されている。
【００５２】
制御部６０の位置情報生成部６１には、操作入力部１２０のジョイスティック２４０から入力される操作角度情報や、操作入力部１２０を構成する各操作ボタンのオン／オフの情報が供給される。位置情報生成部６１は、入力されたジョイスティック２４０の操作角度情報に基づいて、制御対象カメラの位置を示す情報、すなわちパン／チルト／ズームの制御量を示す情報を生成し、生成した位置情報を後段の制御信号生成部６２に供給する。
【００５３】
制御信号生成部６２は、操作入力部１２０のジョイスティック２４０から入力される操作角度情報と、メモリ７０内に記憶されたテーブルの情報に基づいて、カメラ制御コマンドを生成する。また、制御信号生成部６２は、操作ボタン部２１０から入力される操作ボタンのオン／オフの情報と、メモリ７０内に記憶されたテーブルの情報に基づいて、メインユニット１１０内の各部を制御するための制御信号を生成する。
【００５４】
メモリ７０内に記憶されたテーブルとは、論理番号−入力ポート番号−制御対象カメラ番号対応テーブルＴ１と、論理番号−画面位置対応テーブルＴ２を指す。図４に、これらのテーブルの構成例を示してある。図４（ａ）は、論理番号−入力ポート番号−制御対象カメラ番号対応テーブルＴ１の構成例を示したものであり、図４（ｂ）は、論理番号−画面位置対応テーブルＴ２の構成例を示したものである。
【００５５】
図４（ａ）に示す論理番号−入力ポート番号−制御対象カメラ番号対応テーブルＴ１は、ＰＧＭ選択ボタン２１３ｐ等の操作ボタンに割り振られた論理番号と、入力ポートに割り振られた番号と、制御対象カメラに割り振られた番号との対応付けを示すものである。入力ポートや制御対象カメラへの番号の割り当ては、メニュー設定等によって予め行ってあるものとする。
【００５６】
図４（ａ）に示した例では、論理番号１には入力ポート番号Ａと制御対象カメラ番号１とが対応付けられており、論理番号２には、入力ポート番号Ｂと制御対象カメラ番号３とが対応付けられている。論理番号３には、入力ポート番号Ｃが対応付けられているが、制御対象カメラ番号は対応付けられていない。入力ポート番号Ｃには、メインユニット１１０が制御できないカメラ（図１のカメラＣ４等）又は、カメラではないＶＴＲ等の他の装置が接続されているためである。
【００５７】
図４（ｂ）に示す論理番号−画面位置対応テーブルＴ２は、操作ボタンに割り振られた論理番号と、マルチビュワ画面における画像の表示位置との対応を示すテーブルである。論理番号１には表示位置Ａｒ１が対応付けてあり、論理番号２には表示位置Ａｒ２が対応付けてあり、論理番号３には表示位置Ａｒ３が対応付けてある。
【００５８】
マルチビュワ画面における画面の分割数やレイアウトは、任意のものに設定することが可能であり、図５にその構成例を示してある。図５（ａ）は、画面を４分割した場合の例を示し、図５（ｂ）は画面を１０分割した場合の例を示し、図５（ｃ）は画面を１６分割した場合の例を示す。このように分割された画面の各領域に対して、図５（ａ）の例では表示位置Ａｒ１〜表示位置Ａｒ４の番号が割り当ててあり、図５（ｂ）の例では表示位置Ａｒ１〜表示位置Ａｒ１０の番号が割り当ててある。図５（ｃ）に示した例では、表示位置Ａｒ１〜表示位置Ａｒ１６の番号が割り当てられている。
【００５９】
図４（ａ）に示した論理番号−入力ポート番号−制御対象カメラ番号対応テーブルＴ１と図４（ｂ）に示した論理番号−画面位置対応テーブルＴ２とは、論理番号によるリレーションシップを貼ってある。このため、論理番号と、入力ポート番号と、カメラ番号と、マルチビュア表示画面上の表示位置とは、すべて１対１で紐付けられるようになる。
【００６０】
図３に戻って説明を続けると、制御信号生成部６２は、上述した各テーブルを参照することにより定まる制御対象に対して、操作入力部１２０から入力される操作内容に基づく制御信号を生成して供給する。制御信号生成部６２で生成されたカメラ制御コマンドは、後段のシリアルＩ／Ｆ部６３に伝送され、シリアルＩ／Ｆ部６３によってシリアルの信号に変換される。シリアルの信号に変換されたカメラ制御コマンドは、シリアルドライバ８０を通して制御信号出力端子２ｃに出力され、制御信号出力端子１ｃを通して制御対象カメラに伝送される。
【００６１】
次に、スイッチャ・エフェクト部３０で生成されたマルチビュワ表示用枠の表示例について、図６を参照して説明する。図６（ａ）は、マルチビュワ表示された画面の例を示したものであり、画面が領域Ａｒ１〜領域Ａｒ１６の１６個の領域に分割されている様子を示している。図６（ａ）の領域Ａｒ６にはＰＧＭ出力映像が表示されており、領域Ａｒ４には制御対象カメラによる撮影映像が表示されており、領域Ａｒ１２にはＮＥＸＴ出力映像が表示されているものとする。
【００６２】
本実施の形態によるスイッチャ・エフェクト部３０は、ＰＧＭ出力映像表示用には赤色の枠を、ＮＥＸＴ出力映像表示用としては緑色の枠を、制御対象カメラの撮影映像表示用には黄色の枠を生成する。これにより、マルチビュワ表示画面において、ＰＧＭ出力映像は赤枠で表示され、ＮＥＸＴ出力映像は緑枠で表示され、制御対象カメラによる撮影映像は黄色の枠で表示されるようになる。図６（ａ）においては、赤色の枠は実線で示してあり、緑色の枠は破線で示してあり、黄色の枠は二点鎖線で示してある。
【００６３】
なお、入力クロスポイント部２０（図３参照）によってＰＧＭ出力映像又はＮＥＸＴ出力映像として選択された映像信号が、制御対象カメラから入力される映像信号でもあった場合には、スイッチャ・エフェクト部３０は、黄色の枠を赤枠又は緑枠の内側に配置する。図６（ｂ）に、この場合のマルチビュワ画面の表示例を示してある。
【００６４】
図６（ｂ）では、領域Ａｒ６に、ＰＧＭ出力映像でありかつ制御対象カメラによる出力映像でもある映像が表示されており、領域Ａｒ４に、ＮＥＸＴ出力映像が表示されている。このような場合に、スイッチャ・エフェクト部３０によって赤枠又は緑枠の内側に黄色の枠を配置する処理が行われることにより、領域Ａｒ６が赤枠と黄枠による二重枠で表示されるようになる。
【００６５】
また、画面上に黄色の枠が表示された状態で、ＡＵＸ出力選択／カメラ選択ボタン２１２の押下によって新たに制御不可能なカメラが選択された場合には、表示中の黄色の枠を削除、あるいは枠の色を灰色等の第４の色に変更する処理が行われる。ここでいう第３の色とは、選択されたカメラが制御できないカメラであることをユーザが直感的に判断できるような色を指す。すなわち、灰色以外の色であってもよい。
【００６６】
［映像信号処理装置の動作例］
次に、マルチビュワ表示画面における各枠の表示処理の例について、図７のフローチャートを参照して説明する。
【００６７】
メインユニット１１０では、操作入力部１２０のＡＵＸ出力選択／カメラ選択ボタン２１２のいずれかのボタンが押下されると（ステップＳ１）、制御部６０によって、装置のモードがカメラコントロールモードに設定されているか否かが判断される（ステップＳ２）。カメラコントロールモードではなく、ビデオスイッチャ機能モードに設定されている場合には、押下によって選択されたボタンに予め対応付けられた入力ポートからの入力映像信号が、制御部６０による制御に基づいてＡＵＸ出力として選択される（ステップＳ３）。
【００６８】
カメラコントロールモードに設定されている場合には、制御部６０によって、ステップＳ１で選択されたボタンに予め対応付けられた制御対象カメラが特定される（ステップＳ４）。例えば、ＡＵＸ出力選択／カメラ選択ボタン２１２（図２参照）の１番のボタンが押下された場合には、論理番号−入力ポート番号−制御対象カメラ番号対応テーブルＴ１（図４（ａ）参照）において論理番号１番と対応するカメラ番号１番のカメラが選択される。
【００６９】
そして、入力クロスポイント部２０（図３参照）で、制御部６０の制御信号生成部６２から供給される制御信号に基づいて、制御対象カメラからの入力映像信号が選択される（ステップＳ５）。また、スイッチャ・エフェクト部３０（図３参照）で、制御信号生成部６２から供給される制御信号に基づいて、黄色の画面枠が生成される（ステップＳ６）。
【００７０】
次に、制御対象カメラから入力される映像信号が、ＰＧＭ出力又はＮＥＸＴ出力として選択されているか否かが判断される（ステップＳ７）。制御対象カメラから入力される映像信号と、ＰＧＭ出力又はＮＥＸＴ出力として選択されている映像信号とが異なる場合には、ステップＳ１で選択されたボタンに予め対応付けられた画面表示位置に、黄色の枠を配置する処理が行われる（ステップＳ８）。つまり、論理番号−画面位置対応テーブルＴ２に記載された内容に基づいて、制御部６０によって、まずボタンの押下により特定された論理番号に対応付けられた画面表示位置が選択される。そして、選択された画面表示位置に黄色の枠を配置するための処理が行われる。
【００７１】
例えば、ＡＵＸ出力選択／カメラ選択ボタン２１２の１番のボタンが押下された場合には、論理番号−画面位置対応テーブルＴ２（図４（ｂ）参照）で論理番号１番に対応付けられている表示位置Ａｒ１が選択される。そして、スイッチャ・エフェクト部３０によって、生成した黄色の枠を画面位置Ａｒ１に配置する処理が行われる。
【００７２】
制御対象カメラからの入力映像信号が、ＰＧＭ出力又はＮＥＸＴ出力としても選択されている場合には、選択されたボタンに対応付けられた画面表示位置の、ＰＧＭ出力映像用枠又はＮＥＸＴ出力映像用枠の内側に、黄枠を配置する処理が行われる（ステップＳ９）。
【００７３】
そして、ステップＳ８又はステップＳ９による処理が施された映像信号は、出力クロスポイント部４０によって、ＡＵＸ出力として選択される（ステップＳ１０）。ＡＵＸ出力として選択された映像信号は、ＡＵＸ出力端子２ａ（図１参照）に接続された表示装置３００の画面上に、マルチビュワ表示される（ステップＳ１１）。
【００７４】
［実施の形態による効果］
上述した実施の形態によれば、マルチビュワ表示画面にＰＧＭ出力映像やＮＥＸＴ出力映像が表示されている状態において、これら表示する枠とは異なる色の表示枠によって、制御対象カメラによる撮影映像が表示される。これにより、マルチビュワ表示画面上のどの位置に制御対象カメラによる撮影映像が表示されているかを、ユーザが容易に把握することができるようになる。
【００７５】
またこの場合、制御対象カメラによる撮影映像が、ＰＧＭ出力映像の表示又はＮＥＸＴ出力映像の表示にも使用される「枠」という形態で強調されるため、従来の操作感が損なわれることがなくなる。従ってユーザは、従来通りの操作を違和感なく行うことができる
【００７６】
また、上述した実施の形態によれば、制御対象カメラからの入力映像信号がＰＧＭ出力又はＮＥＸＴ出力としても選択されている場合には、ＰＧＭ出力映像又はＮＥＸＴ出力映像用の表示枠の内側に、制御対象カメラによる撮影映像が表示されるようになる。この場合も、制御対象カメラによる撮影映像を示す表示枠が、ＰＧＭ出力映像又はＮＥＸＴ出力映像表示用の枠とは異なる色で表示されるため、現在制御中のカメラによる映像がどの位置に表示されているかを、ユーザが容易に識別できる。そして、現在制御中のカメラによる映像が、ＰＧＭ出力又はＮＥＸＴ出力としても選択されていることも、一目で把握することができるようになる。
【００７７】
２．変形例
なお、上述した実施の形態では、スイッチャ・エフェクト部３０で画面枠を生成してから、出力クロスポイント部４０で画面枠がはめ込まれた映像信号をマルチビュワ表示させる処理が行われる例を挙げたが、処理の順番はこれに限定されるものではない。例えば、最初に映像信号をマルチビュワ表示させる処理を行ってから、各領域を構成する映像信号に画面枠を付加する処理を行うようにしてもよい。この場合は、出力クロスポイント部４０においても画面枠の制御を行えるようにする必要がある。
【００７８】
また、上述した実施の形態では、制御対象カメラの撮影映像表示用の枠を黄色で表示するようにしてあるが、これに限定されるものではない。ＰＧＭ出力映像表示用の枠やＮＥＸＴ出力映像表示用の枠と異なる第３の色であれば、どのような色を適用してもよい。また、二重枠を生成する際に、制御対象カメラによる撮影映像表示用の枠を外側に配置するようにしてもよい。もしくは、二重枠を生成するのではなく、二色をストライプ状等に交互に配置する等により、二色を含む一重の枠を生成するようにしてもよい。
【００７９】
または、制御対象カメラによる映像を、枠ではなくマーカ等を表示することにより明確化するような構成としてもよい。図８（ａ）に、楕円形のマーカを使用した場合の例を示してある。図８（ａ）は、表示領域Ａｒｉ（ｉは自然数）に表示された映像が制御対象カメラによる撮影映像であることを示す楕円形の識別子Ｉｄ１を、画面の左上方に配置した例を示すものである。なお、識別子Ｉｄ１の配置位置は左上方に限定されるものではなく、例えば左下方や右上方、右下方等の位置（画面四隅のうちいずれか）に設けるようにしてもよい。配置位置の設定は、システム側で任意の位置を指定するようにしてもよく、ユーザが自由に設定できるようにしてもよい。
【００８０】
図９は、マーカとして、カメラのアイコンやジョイスティックのアイコン等を使用した場合の例を示したものである。図９（ａ）に示したアイコンは、２つの円柱及び丸形の印によりカメラを表現したものであり、図９（ｂ）に示したアイコンは、長方形と２本の斜線でカメラを表現したアイコンを示したものである。なお、図９（ｂ）に示したアイコンで示されるカメラの向きは、右向きと左向きのどちらでもよいものとする。図９（ｃ）に示したアイコンは、カメラの操作を行うジョイスティック２４０を簡易的に示したものである。なお、図９に示した各アイコンは一例であり、アイコンの形状はこれらに限定されるものではない。制御対象のカメラによる映像が選択されていることを明示的に示せるようなアイコンであれば、他の形状のアイコンを使用するようにしてもよい。
【００８１】
あるいは、図９（ｄ）に示すように、『ＣＡＭ ＣＯＮＴＲＯＬ』等の文字を識別子として使用するようにしてもよい。文字の表示形態は、図９（ｄ）の左側に示すように１行であってもよく、右側に示すように２行であってもよい。また、文字の種類も、制御対象カメラからの入力映像が選択されていることを示す文字であれば、図９（ｄ）に示した文字以外の文字を使用するようにしてもよい。
【００８２】
また、制御対象のカメラが選択されている事を示す識別子を、バー等の直線で示すようにしてもよい。この場合の表示の例を、図１０は示してある。図１０には、識別子Ｉｄ２が、表示画面の下端にバーとして表示された例が示されている。
【００８３】
このように、制御対象カメラによる撮影映像の表示画面に、枠以外の識別子を示すことで、制御対象カメラによる撮影と、ＰＧＭ出力映像又はＮＥＸＴ出力映像とを区別できるようにしてもよい。
【図面の簡単な説明】
【００８４】
【図１】本発明の一実施の形態によるシステムの構成例を示す概要図である。
【図２】本発明の一実施の形態による操作入力部の構成例を示す説明図である。
【図３】本発明の一実施の形態による映像信号処理装置の内部構成例を示すブロック図である。
【図４】本発明の一実施の形態によるテーブルの構成例を示す説明図であり、（ａ）は、論理番号−入力ポート番号−制御対象カメラ番号対応テーブルの構成例を示し、（ｂ）は論理番号−画面位置対応テーブルの構成例を示す。
【図５】本発明の一実施の形態によるマルチビュワ表示画面の構成例を示す説明図であり、（ａ）は画面を４分割した場合の例を示し、（ｂ）は画面を１０分割した場合の例を示し、（ｃ）は画面を１６分割した場合の例を示す。
【図６】本発明の一実施の形態による表示枠の表示の例を示す説明図であり、（ａ）は制御対象カメラからの入力映像信号と、ＰＧＭ出力又はＮＥＸＴ出力として選択された映像信号とが異なる場合の例を示し、（ｂ）は。制御対象カメラからの入力映像信号と、ＰＧＭ出力又はＮＥＸＴ出力として選択された映像信号とが一致する場合の例を示す。
【図７】本発明の一実施の形態による表示枠生成処理の例を示すフローチャートである。
【図８】本発明の一実施の形態による識別子をマーカとした場合の表示例を示す説明図である。
【図９】本発明の他の実施例によるマーカの例を示す説明図である。
【図１０】本発明の他の実施例による識別子をバーとした場合の表示例を示す説明図である。
【符号の説明】
【００８５】
１１…イコライザ、１２…シリアル・パラレル変換器、１３…フレームシンクロナイザ、１４…アンプ、１５…オプションカードＩ／Ｆ部、２０…入力クロスポイント部、３０…スイッチャ・エフェクト部、４０…出力クロスポイント部、５１ａ…パラレル・シリアル変換器、５１ｄ…Ｉ／Ｐ変換・リサイズ処理部、５１ｐ…パラレル・シリアル変換器、５２ａ…バッファ、５２ｄ…バッファ、５２ｐ…バッファ、６０…制御部、６１…位置情報生成部、６２…制御信号生成部、６３…シリアルＩ／Ｆ部、７０…メモリ、８０…シリアルドライバ、１００…映像信号処理装置、２００…操作入力部、２１０…操作ボタン部、２１１ｃ…カメラモード切り替えボタン、２１１ｓ…スイッチャモード切り替えボタン、２１２…ＡＵＸ出力選択／カメラ選択ボタン、２１３ｎ…ＮＥＸＴ選択ボタン、２１３ｐ…ＰＧＭ選択ボタン、２２０…ツマミ部、２３０…表示部、２４０…ジョイスティック、２５０…トランジションレバー、３００…表示装置、４００…プロジェクタ、５００…記憶装置、Ａｘ１…ＡＵＸ出力端子、ＰＣＰ１…パーソナルコンピュータ、Ｐｇ１…ＰＧＭ出力端子２ｐ２…ＰＧＭ出力端子、Ｔ１…論理番号−入力ポート番号−制御対象カメラ番号対応テーブル、Ｔ２…論理番号−画面位置対応テーブル
【図１】
2010114520.tif 000003
【図２】
2010114520.tif 000004
【図３】
2010114520.tif 000005
【図４】
2010114520.tif 000006
【図５】
2010114520.tif 000007
【図６】
2010114520.tif 000008
【図７】
2010114520.tif 000009
【図８】
2010114520.tif 000010
【図９】
2010114520.tif 000011
【図１０】
2010114520.tif 000012
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
動作を制御可能な撮像装置から出力される映像信号又は、動作を制御できない装置から出力される映像信号が入力される複数の入力部と、
前記複数の入力部を介して入力される複数の映像信号の中から、主出力又は準備出力する映像信号、及び／又は前記制御可能な撮像装置から入力される映像信号を選択する入力選択部と、
前記入力選択部で選択された各映像信号を、１つの画面を複数に分割した場合の各領域を生成する処理を行うとともに、前記各領域のうち、前記入力選択部によって前記主出力する映像信号として選択された映像信号を表示する領域用の枠を、第１の色で生成し、前記入力選択部によって前記準備出力する映像信号として選択された映像信号を表示する領域用の枠を、第２の色で生成し、前記制御可能な撮像装置から入力される映像信号を表示する領域用の識別子を、前記第１の色又は前記第２の色とは異なる第３の色で生成する画面生成処理部と、
前記画面生成処理部で処理が施された各映像信号及び前記枠又は前記識別子を、前記複数の領域に分割された画面を表示する表示装置に出力する出力部とを備えた
映像信号処理装置。
【請求項２】
前記入力選択部で選択する映像信号を指示する操作入力部と、
前記操作入力部における選択操作に基づいて制御信号を生成する制御部とを備え、
前記入力選択部と前記画面生成処理部における処理は、前記制御部で生成された制御信号に基づいて行われる
請求項１記載の映像信号処理装置。
【請求項３】
前記操作入力部は、前記主出力する映像信号を選択するための主出力選択ボタンと、前記準備出力する映像信号を選択するための準備出力選択ボタンと、前記制御可能な撮像装置から入力される映像信号を選択するカメラ選択ボタンを備え、
前記制御部は、前記各ボタンに共通に割り当てられた論理番号と、前記複数の入力部に割り当てられた入力ポート番号と、前記制御可能な撮像装置に割り当てられたカメラ番号と、前記複数の領域のそれぞれに割り振られた表示位置番号とを１対１で対応付けたテーブルの情報に基づいて、前記入力選択部と前記画面生成処理部とを制御するための制御信号を生成する
請求項２記載の映像信号処理装置。
【請求項４】
前記画面生成処理部により生成される第３の色による識別子は、枠で示される
請求項３記載の映像信号処理装置。
【請求項５】
前記入力選択部によって選択された、前記制御可能な撮像装置から入力される映像信号が、前記主出力又は前記準備出力としても選択された映像信号であった場合には、前記画面生成処理部によって、前記第３の色による枠が、前記第１の色による枠又は前記第２の色による枠の内側に配置される
請求項４記載の映像信号処理装置。
【請求項６】
前記画面生成処理部により生成される第３の色による識別子は、マーカで示される
請求項３記載の映像信号処理装置。
【請求項７】
前記画面生成処理部により生成される第３の色による識別子は、バーで示される
請求項３記載の映像信号処理装置。
【請求項８】
動作を制御可能な撮像装置から出力される映像信号又は、動作を制御できない装置から出力される映像信号が入力される入力ステップと、
前記入力ステップで入力される複数の映像信号の中から、主出力又は準備出力する映像信号、及び／又は前記制御可能な撮像装置から入力される映像信号を選択する入力選択ステップと、
前記入力選択ステップで選択された各映像信号を、１つの画面を複数に分割した場合の各領域を生成する処理を行うとともに、前記各領域のうち、前記入力選択ステップで前記主出力する映像信号として選択された映像信号を表示する領域用の枠を、第１の色で生成し、前記入力選択ステップで前記準備出力する映像信号として選択された映像信号を表示する領域用の枠を、第２の色で生成し、前記制御可能な撮像装置から入力される映像信号を表示する領域用の識別子を、前記第１の色又は前記第２の色とは異なる第３の色で生成するステップと、
前記処理が施された各映像信号及び前記枠又は前記識別子を、前記複数の領域に分割された画面を表示する表示装置に出力するステップとを含む
映像信号処理方法。
【手続補正２】
【補正対象書類名】明細書
【補正対象項目名】００４０
【補正方法】変更
【補正の内容】
【００４０】
オプションカードＩ／Ｆ部１５は、オプションカードが挿入されるＩ／Ｆである。オプションカードとは、工場出荷時には装着されていないカードであり、標準装備されていない機能を追加装備するためのカードである。オプションカードとしては、アナログ映像信号入力端子を備えたカードや、ＤＶＩ入力端子を備えたカード、ＨＤ／ＳＤ−ＳＤＩ入力端子を備えたカード等の様々なカードが用意されている。本実施の形態によるメインユニット１１０では、オプションカードＩ／Ｆ部１５に、これらのカードのうち任意の２枚までのカードを接続することができるようにしてある。このため、オプションカードＩ／Ｆ部１５上には複数の映像信号端子が複数存在することになるが、図３においては、説明を簡単にするため、これらの端子を入力映像端子１ｏとして示している。
【手続補正３】
【補正対象書類名】明細書
【補正対象項目名】００６０
【補正方法】変更
【補正の内容】
【００６０】
図３に戻って説明を続けると、制御信号生成部６２は、上述した各テーブルを参照することにより定まる制御対象に対して、操作入力部１２０から入力される操作内容に基づく制御信号を生成して供給する。制御信号生成部６２で生成されたカメラ制御コマンドは、後段のシリアルＩ／Ｆ部６３に伝送され、シリアルＩ／Ｆ部６３によってシリアルの信号に変換される。シリアルの信号に変換されたカメラ制御コマンドは、シリアルドライバ８０を通して制御信号出力端子２ｃに出力され、制御信号出力端子２ｃを通して制御対象カメラに伝送される。
【手続補正４】
【補正対象書類名】明細書
【補正対象項目名】００６４
【補正方法】変更
【補正の内容】
【００６４】
図６（ｂ）では、領域Ａｒ６に、ＰＧＭ出力映像でありかつ制御対象カメラによる出力映像でもある映像が表示されており、領域Ａｒ１２に、ＮＥＸＴ出力映像が表示されている。このような場合に、スイッチャ・エフェクト部３０によって赤枠又は緑枠の内側に黄色の枠を配置する処理が行われることにより、領域Ａｒ６が赤枠と黄枠による二重枠で表示されるようになる。
【手続補正５】
【補正対象書類名】明細書
【補正対象項目名】００６５
【補正方法】変更
【補正の内容】
【００６５】
また、画面上に黄色の枠が表示された状態で、ＡＵＸ出力選択／カメラ選択ボタン２１２の押下によって新たに制御不可能なカメラが選択された場合には、表示中の黄色の枠を削除、あるいは枠の色を灰色等の第４の色に変更する処理が行われる。ここでいう第４の色とは、選択されたカメラが制御できないカメラであることをユーザが直感的に判断できるような色を指す。すなわち、灰色以外の色であってもよい。
【手続補正６】
【補正対象書類名】明細書
【補正対象項目名】００７９
【補正方法】変更
【補正の内容】
【００７９】
または、制御対象カメラによる映像を、枠ではなくマーカ等を表示することにより明確化するような構成としてもよい。図８に、楕円形のマーカを使用した場合の例を示してある。図８は、表示領域Ａｒｉ（ｉは自然数）に表示された映像が制御対象カメラによる撮影映像であることを示す楕円形の識別子Ｉｄ１を、画面の左上方に配置した例を示すものである。なお、識別子Ｉｄ１の配置位置は左上方に限定されるものではなく、例えば左下方や右上方、右下方等の位置（画面四隅のうちいずれか）に設けるようにしてもよい。配置位置の設定は、システム側で任意の位置を指定するようにしてもよく、ユーザが自由に設定できるようにしてもよい。